(57)【特許請求の範囲】
【請求項１】
環状に形成したガラス管の内壁に蛍光塗料を塗布するとともにガラス管内に水銀蒸気を封入してなる放電ランプ本体と、環状鉄心を２分割し少なくともその１方に給電コイルを巻回しかつ２分割した環状鉄心の一端を互いに回動可能に結合し他端に着脱可能な固着手段を設けたクランプ型給電トランスとにより構成され、クランプ型給電トランスの分割した環状鉄心を放電ランプ本体の一部分を囲んで着脱可能に取り付け鉄心が環状に連結されるようにしたことを特徴とするクランプ型給電トランスを使用した無電極蛍光放電ランプ。
【発明の詳細な説明】
【０００１】
【発明の属する技術分野】
この発明は、着脱可能なクランプ型給電トランスにより無電極蛍光放電ランプに高周波電流を供給するようにしたクランプ型給電トランスを使用した無電極蛍光放電ランプに関する。
【０００２】
【従来の技術】
【特許文献１】
特開平１１−１９１３９８
従来、上記文献に示されるような無電極蛍光放電ランプが知られている。その原理を簡単に説明すると、環状に形成し内部に水銀蒸気を封入したガラス管の外周に電力供給用のコイルをそれぞれ巻回した環状鉄心を２箇所勘合配置し、このコイルに高周波電流を供給し環状鉄心を介して電磁誘導によりガラス管内部に高周波電流を発生させガラス管内部の蛍光体を発光させるにしたものである。ところがこのようなものは、放電ランプ本体であるガラス管には放電電極がないためほとんど故障がないという利点がある一方で、給電用トランスの環状鉄心をガラス管の外側に勘合配置する必要があるためその製造組立工程が複雑となり、また破損しやすいガラス管の外周に電力供給コイルの重い環状鉄心が取付けられているから輸送時の破損を防止するために梱包に細心の注意を必要とするという欠点があった。
【０００３】
【発明が解決しようとする課題】
この発明の目的は、上記従来装置の欠点を改良することであり、無電極蛍光放電ランプ本体に給電トランスを勘合配置させるための製造組立工程が極めて簡単であって無電極蛍光放電ランプ本体と給電トランスとを別々に梱包して輸送し設置場所で両者を組立てることができるクランプ型給電トランスを使用した無電極蛍光放電ランプを提供することである。
【０００４】
【課題を解決するための手段】
上記の目的を達成するため、この発明のクランプ型給電トランスを使用した無電極蛍光放電ランプは、環状に形成したガラス管の内壁に蛍光塗料を塗布するとともにガラス管内に水銀蒸気を封入してなる放電ランプ本体と、環状鉄心を２分割し少なくともその１方に給電コイルを巻回しかつ２分割した環状鉄心の一端を互いに回動可能に結合し他端に着脱可能な固着手段を設けたクランプ型給電トランスとにより構成され、クランプ型給電トランスの分割した環状鉄心を放電ランプ本体の一部分を囲んで着脱可能に取り付け鉄心が環状に連結されるようにしたことを特徴としている。
【０００５】
【作用】
放電ランプ本体とクランプ型給電トランスとは別々に梱包して輸送され、設置場所において放電ランプ本体にクランプ型給電トランスを取付ける際には、２分割した環状鉄心を開いて蛍光放電ランプ本体の外周に両側から挟むようにしてクランプし取付ける。形状、色彩などの異なる放電ランプに交換する際には、クランプ型給電トランスを放電ランプ本体から取外し、新たに使用する放電ランプ本体に今まで使用していたクランプ型給電トランスを取付ける。
【０００６】
【発明の実施の形態】
この発明のクランプ型給電トランスを使用した無電極蛍光放電ランプの実施の形態について図面を参照しながら説明する。図１はその全体の斜視図、図２は放電ランプ本体の斜視図、また図３および図４はクランプ型給電トランスの斜視図および一部切断斜視図をそれぞれ示したものである。無電極蛍光放電ランプ１は、ガラス製の円筒を環状に形成した放電ランプ本体２と、その外周に取付けられた２組のクランプ型給電トランス３とにより構成されている。２組のクランプ型給電トランス３はそれぞれケース５に収納されこのケース５を放電ランプ本体２の外周にクランプすることにより取付けることができるようになっている。
【０００７】
放電ランプ本体２は、図２に示されるように、均一な径を有するガラス管をほぼ長方形に形成したものでありその内壁には蛍光塗料が塗布されている。またその内部は高真空になっていて水銀蒸気および適量のアルゴンその他の希ガスが封入され導電性雰囲気となっている。
【０００８】
放電ランプ本体２の外周のほぼ対称な位置に取付けられた２個のクランプ型給電トランス３は、図３および図４に示されるように、環状鉄心を基部３ａと回動部３ｂとに２分割しその基部３ａ側に給電コイル４を巻回してなるものである。環状鉄心の基部３ａおよび回動部３ｂは一端がヒンジ部５ａにより回動可能に連結された合成樹脂製のケース５にそれぞれ収納され、このケースのヒンジ部５ａと反対側の開放端に掛止突起５ｂと弾性掛止リング５ｃとがそれぞれ一体に形成されている。
【０００９】
クランプ型給電トランス３を放電ランプ本体２に取付けるには、２分割鉄心３のケース５を開いて放電ランプ本体２に挟むようにして取付け、ケース５を（図１の右側に示される状態から左側の状態に）閉じて上下から強く押さえると弾性掛止リング５ｃが掛止突起５ｂに掛止してクランプされるからケース５をワンタッチで固定することができる。このとき分割鉄心３ａ、３ｂの分割切断面は掛止具の弾性により密着して結合されるようになっている。また、ケース５が固定された状態で弾性掛止リング５ｃの尖端をマイナスドライバーなどで外方に引き起こせば掛止突起５ｂから簡単に外すことができるからケース５を開放し取外すことも容易である。
【００１０】
放電ランプ本体２とクランプ型給電トランス３とは別々に梱包されて設置場所まで輸送され、設置場所において組立てられる。無論、何らかの事情で組立てた状態で輸送することもできる。
【００１１】
組立が完了した無電極蛍光放電ランプ１は灯機（図示されていない）に取付けられ、２組のクランプ型給電トランス３の給電コイル４がインバータ等の高周波電源に接続される。電源スイッチが入れられると両給電コイル４に同相の高周波電流が供給されてクランプ型給電トランス３の環状鉄心に磁束が発生し放電ランプ本体２内部の水銀蒸気に高周波電流が誘起され内壁に塗布された蛍光塗料が発光して無電極蛍光放電ランプ１は明るく点灯する。
【００１２】
形状、色彩などが異なる無電極蛍光放電ランプ１に交換したい場合には全体を交換する必要はなく、クランプ型給電トランス３を放電ランプ本体２から取外し、新たに使用する放電ランプ本体２に今まで使用していたクランプ型給電トランス３取付けるだけでよい。
【００１３】
上記実施の形態では放電ランプ本体２の形状を長方形としているが、これに限られるものではなく目的に応じて他の、例えば円形，楕円形，三角形等の適当な形状にすることができる。また、クランプ型給電トランス３を２組設けているが原理的には１組のみでもよい。２組設けているのは給電電流を分担させることにより各クランプ型給電トランス３を小型にすることができるからである。また、分割鉄心３ａ、３ｂをクランプする手段としてケース５に一体に設けた掛止リング５ｃおよび掛止突起５ｂを使用しているが、これに限られるものではなく周知の着脱可能な固着手段を適宜使用してもよいことは言うまでもない。
【００１４】
【発明の効果】
以上説明したとおり、この発明のクランプ型給電トランスを使用した無電極蛍光放電ランプは、給電トランスをクランプ型にしたことにより製造組立工程を極めて簡単にすることができ、放電ランプ本体と給電トランスとを別々に梱包して輸送し設置場所で両者を組立てることができ、また無電極蛍光放電ランプを他のものに交換したい場合には全体を交換する必要はなく、クランプ型給電トランスを放電ランプ本体から取り外して新たに使用する放電ランプ本体に取付けて繰返し使用することができ、梱包、輸送、保管、費用などあらゆる面で経済的であるという優れた効果を奏するものである。
【図面の簡単な説明】
【図１】この発明のクランプ型給電トランスを使用した無電極蛍光放電ランプの斜視図
【図２】その放電ランプ本体の斜視図
【図３】そのクランプ型給電トランスの分解斜視図
【図４】そのクランプ型給電トランスの一部切断斜視図
【符号の説明】
１  無電極蛍光放電ランプ      ２  放電ランプ本体
３  クランプ型給電トランス    ３  分割鉄心    ３ａ  基部  ３ｂ  回動部
４  給電コイル      ５  ケース    ５ａ  ヒンジ部    ５ｂ  掛止突起
５ｃ  弾性掛止リング
【図１】
0003677745.tif 000002
【図２】
0003677745.tif 000003
【図３】
0003677745.tif 000004
【図４】
0003677745.tif 000005